(57)【要約】【課題】光透過性を有する発光装置において、裏面側に放射される光の量を少なくする。【解決手段】複数の発光部１４０は、いずれも第１電極１１０、有機層１２０、及び第２電極１３０を有している。第１電極１１０は透光性を有しており、第２電極１３０は光反射性を有している。有機層１２０は、第１電極１１０と第２電極１３０の間に位置している。透光性領域１０４及び１０６は、複数の発光部１４０の間に位置している。封止部材１７０は複数の発光部１４０並びに透光性領域１０４及び１０６を覆っている。封止部材１７０は、直接又は絶縁層１７４を介して、基板１００に形成された構造物（例えば第２電極１３０）、及び基板１００の少なくとも一方に固定されている。そして、発光装置１０のヘイズ値は２．０％以下、好ましくは１．４％以下である。【選択図】図２
2020167173.tif 000002
【特許請求の範囲】
【請求項１】
発光装置であって、
透光性の基板と、
前記基板に形成され、透光性の第１電極、光反射性の第２電極、及び前記第１電極と前記第２電極との間に位置する有機層を有する複数の発光部と、
前記複数の発光部の間に位置する透光性領域と、
前記複数の発光部と前記透光性領域を覆う封止部材と、
を備え、
前記封止部材は、直接又は絶縁層を介して、前記基板に形成された構造物及び前記基板の少なくとも一方に固定されており、
前記発光装置のヘイズ値は２．０％以下であり、
前記封止部材は封止板を有しており、前記絶縁層を介して前記基板及び前記構造物に固定されており、
前記封止板の第１面の表面粗さは第２面の表面粗さより大きく、
前記封止板は前記第１面を前記発光部に向けて配置されている発光装置。
【請求項２】
請求項１に記載の発光装置において、
前記封止板の前記第１面は、樹脂層を有している発光装置。
【請求項３】
請求項２に記載の発光装置において、
前記樹脂層は粒子を含んでいる発光装置。
【請求項４】
透光性の基板と、
前記基板に形成され、それぞれが透光性の第１電極、光反射性の第２電極、及び前記第１電極と前記第２電極との間に位置する有機層を有する複数の発光部と、
前記複数の発光部の間に位置する透光性領域と、
前記発光部と前記透光性領域を覆う封止部材と、
を備え、
前記封止部材の第１面は、絶縁層を介して、前記基板に形成された構造物及び前記基板の少なくとも一方に固定されており、
前記封止部材の前記第１面は、無機粒子を含む樹脂層を有しており、
前記第１面の表面粗さは、前記封止部材の前記第１面とは逆側の面である第２面の表面粗さより大きい発光装置。
【発明の詳細な説明】
【技術分野】
【０００１】
本発明は、発光装置及び発光システムに関する。
【背景技術】
【０００２】
近年は有機ＥＬを利用した発光装置の開発が進んでいる。この発光装置は、照明装置や表示装置として使用されており、第１電極と第２電極の間に有機層を挟んだ構成を有している。そして、一般的には第１電極には透明材料が用いられており、第２電極には金属材料が用いられている。
【０００３】
有機ＥＬを利用した発光装置の一つに、特許文献１に記載の技術がある。特許文献１の技術は、有機ＥＬ素子に光透過性（シースルー）を持たせるために、第２電極を基板の一部にのみ設けている。このような構造において、複数の第２電極の間に位置する領域は光を透過させるため、有機ＥＬ素子は光透過性を有することができる。特許文献１において、有機ＥＬ素子の封止構造は中空封止構造である。
【０００４】
また、特許文献２には、光透過性を有する有機ＥＬ表示装置において、封止膜で有機ＥＬ素子を覆い、かつ、封止板を用いて有機ＥＬ素子を封止することが記載されている。
【先行技術文献】
【特許文献】
【０００５】
【特許文献１】特開２０１４−１５４４０４号公報
【特許文献２】特開２０１１−２３３３６号公報
【発明の概要】
【発明が解決しようとする課題】
【０００６】
光透過性を有する発光装置において、発光部が発光した光を表面（光出射側の面）からのみ出射させたい場合がある。
【０００７】
本発明が解決しようとする課題としては、光透過性を有する発光装置において、裏面側に放射される光の量を少なくすることが一例として挙げられる。
【課題を解決するための手段】
【０００８】
第１の発明は、発光装置であって、
透光性の基板と、
前記基板に形成され、透光性の第１電極、光反射性の第２電極、及び前記第１電極と前記第２電極との間に位置する有機層を有する複数の発光部と、
前記複数の発光部の間に位置する透光性領域と、
前記複数の発光部と前記透光性領域を覆う封止部材と、
を備え、
前記封止部材は、直接又は絶縁層を介して、前記基板に形成された構造物及び前記基板の少なくとも一方に固定されており、
前記発光装置のヘイズ値は２．０％以下である発光装置である。
【０００９】
第２の発明は、透光性の基板と、
前記基板に形成され、それぞれが透光性の第１電極、光反射性の第２電極、及び前記第１電極と前記第２電極との間に位置する有機層を有する複数の発光部と、
前記複数の発光部の間に位置する透光性領域と、
前記発光部と前記透光性領域を覆う封止部材と、
を備え、
前記封止部材の第１面は、絶縁層を介して、前記基板に形成された構造物及び前記基板の少なくとも一方に固定されており、
前記封止部材の前記第１面は、無機粒子を含む樹脂層を有しており、
前記第１面の表面粗さは、前記風刺部材の前記第１面とは逆側の面である第２面の表面粗さより大きい発光装置である。
【００１０】
第３の発明は、
空間を外部から仕切る透光性の仕切部材と、
前記仕切部材に固定されている発光装置と、
を備え、
前記発光装置は、
透光性の基板と、
前記基板に形成され、透光性の第１電極、光反射性の第２電極、及び前記第１電極と前記第２電極との間に位置する有機層を有する複数の発光部と、
前記複数の発光部の間に位置する透光性領域と、
前記複数の発光部と前記透光性領域を覆う封止部材と、
を有し、
前記封止部材は、直接又は絶縁層を介して、前記基板に形成された構造物及び前記基板の少なくとも一方に固定されており、
前記発光装置のヘイズ値は２．０％以下である発光システムである。
【図面の簡単な説明】
【００１１】
上述した目的、およびその他の目的、特徴および利点は、以下に述べる好適な実施の形態、およびそれに付随する以下の図面によってさらに明らかになる。
【００１２】
【図１】実施形態に係る発光装置の構成を示す平面図である。
【図２】図１のＡ−Ａ断面図である。
【図３】図２の点線αを拡大した図である。
【図４】発光装置のヘイズ値を示す表である。
【図５】変形例１に係る発光装置の構成を示す断面図である。
【図６】変形例２に係る発光装置の構成を示す断面図である。
【図７】変形例３に係る発光装置の構成を示す断面図である。
【図８】変形例４に係る発光装置の構成を示す断面図である。
【図９】変形例５に係る発光装置の構成を示す断面図である。
【図１０】実施例１に係る発光システムの構成を示す断面図である。
【図１１】実施例２に係る発光システムの構成を示す断面図である。
【図１２】実施例３に係る発光システムの構成を示す断面図である。
【図１３】図１２の変形例を示す断面図である。
【図１４】実施例４に係る発光システムの構成を示す断面図である。
【図１５】実施例５に係る発光システムの構成を示す断面図である。
【図１６】実施例６に係る発光システムの構成を示す断面図である。
【発明を実施するための形態】
【００１３】
以下、本発明の実施の形態について、図面を用いて説明する。尚、すべての図面において、同様な構成要素には同様の符号を付し、適宜説明を省略する。
【００１４】
（実施形態）
図１は、実施形態に係る発光装置１０の構成を示す平面図である。図２は、図１のＡ−Ａ断面図である。なお、発光装置１０の構造をわかりやすくするために、図１において封止部材１７０は図示されていない。本実施形態に係る発光装置１０は、透光性の基板１００、複数の発光部１４０、透光性領域（第２領域１０４及び第３領域１０６）、及び封止部材１７０を備えている。複数の発光部１４０は、いずれも第１電極１１０、有機層１２０、及び第２電極１３０を有している。第１電極１１０は透光性を有しており、第２電極１３０は光反射性を有している。有機層１２０は、第１電極１１０と第２電極１３０の間に位置している。透光性領域（第２領域１０４及び第３領域１０６）は、複数の発光部１４０の間に位置している。封止部材１７０は複数の発光部１４０並びに透光性領域（第２領域１０４及び第３領域１０６）を覆っている。封止部材１７０は、直接又は絶縁層１７４を介して、基板１００に形成された構造物（例えば第２電極１３０）、及び基板１００の少なくとも一方に固定されている。そして、発光装置１０のヘイズ値は２．０％以下、好ましくは１．４％以下である。なお、発光装置１０のヘイズ値、及び封止部材１７０の封止板１７１のヘイズ値は、例えばＩＳＯ  １４７８２に準拠した方法、又はＪＩＳ  Ｋ７１３６に準拠した方法により測定される。以下、詳細に説明する。
【００１５】
基板１００は、例えばガラス基板や樹脂基板などの透光性を有する基板である。基板１００は可撓性を有していてもよい。可撓性を有している場合、基板１００の厚さは、例えば１０μｍ以上１０００μｍ以下である。基板１００は、例えば矩形などの多角形や円形である。基板１００が樹脂基板である場合、基板１００は、例えばＰＥＮ（ポリエチレンナフタレート）、ＰＥＳ（ポリエーテルサルホン）、ＰＥＴ（ポリエチレンテレフタラート）、又はポリイミドを用いて形成されている。また、基板１００が樹脂基板である場合、水分が基板１００を透過することを抑制するために、基板１００の少なくとも一面（好ましくは両面）に、ＳｉＮｘやＳｉＯＮなどの無機バリア膜が形成されているのが好ましい。この無機バリア膜は、例えばスパッタリング法、ＣＶＤ法、又はＡＬＤ法を用いて形成される。なお、基板１００を樹脂基板で形成する場合は、樹脂基板に直接後述する第１電極１１０や有機層１２０を成膜する方法と、ガラス基板の上に第１電極１１０以降の層を形成した後に、第１電極１１０とガラス基板を剥離し、さらに、剥離した積層体を樹脂基板に配置する方法などがある。
【００１６】
基板１００の第２面１００ｂには、発光部１４０が形成されている。発光部１４０は、第１電極１１０、発光層を含む有機層１２０、及び第２電極１３０をこの順に積層させた構成を有している。そして基板１００の第１面１００ａは、光が出射する面となっている。
【００１７】
第１電極１１０は、光透過性を有する透明電極である。透明電極の材料は、金属を含む材料、例えば、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＩＷＺＯ（Ｉｎｄｉｕｍ  Ｔｕｎｇｓｔｅｎ  Ｚｉｎｃ  Ｏｘｉｄｅ）、ＺｎＯ（Ｚｉｎｃ  Ｏｘｉｄｅ）等の金属酸化物である。第１電極１１０の厚さは、例えば１０ｎｍ以上５００ｎｍ以下である。第１電極１１０は、例えばスパッタリング法又は蒸着法を用いて形成される。なお、第１電極１１０は、カーボンナノチューブ、又はＰＥＤＯＴ／ＰＳＳなどの導電性有機材料であってもよい。また、第１電極１１０は複数の膜を積層した積層構造を有していてもよい。本図において、基板１００の上には、複数の長方形状（ストライプ状）の第１電極１１０が互いに平行に形成されている。このため、後述する第２領域１０４及び第３領域１０６には第１電極１１０は位置していない。
【００１８】
有機層１２０は、例えば、正孔注入層、発光層、及び電子注入層をこの順に積層させた構成を有している。正孔注入層と発光層との間には正孔輸送層が形成されていてもよい。また、発光層と電子注入層との間には電子輸送層が形成されていてもよい。有機層１２０は蒸着法で形成されてもよい。また、有機層１２０のうち少なくとも一つの層、例えば第１電極１１０と接触する層は、インクジェット法、印刷法、又はスプレー法などの塗布法によって形成されてもよい。なお、この場合、有機層１２０の残りの層は、蒸着法によって形成されている。また、有機層１２０のすべての層が、塗布法を用いて形成されていてもよい。なお、有機層１２０の代わりに他の発光層（例えば無機発光層）を有していてもよい。また、発光層の発光する発光色（又は有機層１２０から放射される光の色）は、隣の発光部１４０の発光層の発光色（又は有機層１２０から放射される光の色）と異なっていてもよいし、同じでも良い。
【００１９】
第２電極１３０は、光反射性を有しており、例えば、Ａｌ、Ａｕ、Ａｇ、Ｐｔ、Ｍｇ、Ｓｎ、Ｚｎ、及びＩｎからなる第１群の中から選択される金属、又はこの第１群から選択される金属の合金からなる金属層を含んでいる。第２電極１３０の厚さは、例えば１０ｎｍ以上５００ｎｍ以下である。ただし、第２電極１３０は、第１電極１１０の材料として例示した材料を用いて形成されていてもよい。第２電極１３０は、例えばスパッタリング法又は蒸着法を用いて形成される。本図に示す例において、発光装置１０は複数の線状の第２電極１３０を有している。第２電極１３０は、第１電極１１０のそれぞれに対して設けられており、かつ第１電極１１０よりも幅が広くなっている。このため、基板１００に垂直な方向から見た場合において、幅方向において第１電極１１０の全体が第２電極１３０によって重なっており、また覆われている。このような構成にすることで、有機層１２０の発光層で発光した光の取出し方向を調整することができる。具体的には、発光装置１０の第１面１００ａとは逆側への光の放射を抑えることができる。
【００２０】
第１電極１１０の縁は、絶縁膜１５０によって覆われている。絶縁膜１５０は例えばポリイミドなどの感光性の樹脂材料によって形成されており、第１電極１１０のうち発光部１４０となる部分を囲んでいる。
【００２１】
基板１００に垂直な方向から見た場合、複数の発光部１４０は、互いに平行に延在している。図１に示す例では、複数の発光部１４０はいずれも長方形状（ストライプ状）に延在している。ただし、発光部１４０は途中で曲がっていてもよい。
【００２２】
そして、基板１００に垂直な方向から見た場合において、基板１００は、第１領域１０２、第２領域１０４、及び第３領域１０６を有している。第１領域１０２は第２電極１３０と重なっている領域である。第２電極１３０が遮光性を有している場合、第１領域１０２は、発光装置１０または基板１００の表面から裏面、及び裏面から表面のそれぞれにおいて光を通さない領域である。第２領域１０４は、絶縁膜１５０に重なるが第２電極１３０には重ならない領域である。第３領域１０６は、第２電極１３０及び絶縁膜１５０と重ならない領域である。そして、第２領域１０４の幅は第３領域１０６の幅よりも狭いため、発光装置１０は、十分な光透過性を有している。
【００２３】
本図に示す例において、有機層１２０は第２領域１０４及び第３領域１０６にも形成されている。言い換えると、複数の発光部１４０の有機層１２０は連続的に形成されている。ただし、有機層１２０は第３領域１０６に形成されていなくてもよい。また、有機層１２０は、第２領域１０４に形成されていなくてもよい。
【００２４】
第２領域１０４の幅は、第３領域１０６の幅よりも狭い。また第３領域１０６の幅は第１領域１０２の幅よりも広くてもよいし、狭くてもよい。第１領域１０２の幅を１とした場合、第２領域１０４の幅は例えば０以上（又は０超若しくは０．１以上）０．２以下であり、第３領域１０６の幅は例えば０．３以上２以下である。また第１領域１０２の幅は、例えば５０μｍ以上５００μｍ以下であり、第２領域１０４の幅は例えば０μｍ以上（又は０μｍ超）１００μｍ以下であり、第３領域１０６の幅は例えば１５μｍ以上１０００μｍ以下である。
【００２５】
発光装置１０は、封止部材１７０を有している。封止部材１７０は、封止板１７１及びバリア膜１７２を有している。封止板１７１は、例えば樹脂からなる板状の部材である。封止板１７１を構成する樹脂は、例えばＰＥＮ（ポリエチレンナフタレート）、ＰＥＳ（ポリエーテルサルホン）、ＰＥＴ（ポリエチレンテレフタラート）、又はポリイミドである。バリア膜１７２は、例えば無機膜であり、封止板１７１の少なくとも一方の面（好ましくは両面）に形成されている。バリア膜１７２は、例えばＳｉＮｘ又はＳｉＯＮであり、例えばスパッタリング法、ＣＶＤ法、又はＡＬＤ法を用いて形成されている。封止部材１７０は、例えば絶縁層１７４（例えば接着層又は粘着層）を用いて基板１００の第２面１００ｂ及び基板１００上の構造物（例えば第２電極１３０）に固定されている。なお、絶縁層１７４の少なくとも一部は、第２電極１３０に接していてもよい。
【００２６】
図３は、図２の点線αを拡大した図である。本図に示すように、封止板１７１のうち絶縁層１７４側の面の表面粗さは、その面とは逆側の面の表面粗さよりも大きくなっている。言い換えると、封止板１７１は、表面粗さが相対的に大きい面を絶縁層１７４に対向させている。
【００２７】
図３に示す例において、封止板１７１は一面に中間層１７６を有している。中間層１７６は、例えば絶縁材料を用いて形成されており、粒子１７７を含有している。粒子１７７は、例えば絶縁材料を用いて形成されている。粒子１７７を構成する絶縁材料は易滑材とも呼ばれ、例えばＳｉＯ２などの無機材料又は樹脂である。中間層１７６の厚さは、例えば１００ｎｍ以上３０００ｎｍ以下である。中間層１７６は、封止板１７１に張り付けられた保護シートを封止板１７１から剥がしやすくするため、あるいはロール状に巻き取りやすくするために設けられている。中間層１７６の表面は、粒子１７７に起因した凹凸を有している。この凹凸の高さは、例えば１００ｎｍ以下である。このため、封止板１７１のうち中間層１７６を有する面（第１面）の表面粗さは、封止板１７１の逆側の面（第２面）の表面粗さよりも大きい。
【００２８】
なお、封止板１７１のうち絶縁層１７４とは逆側の面に平滑層を設けてもよい。この場合、封止板１７１は中間層１７６を有していなくても、封止板１７１のうち絶縁層１７４側の面の表面粗さは、その面とは逆側の面の表面粗さよりも大きくなる。この際、封止板１７１のうち絶縁層１７４側の面の表面粗さの差を大きくするために、封止板１７１の本体を構成する樹脂に粒子を混ぜてもよい。
【００２９】
なお、封止部材１７０のヘイズ値は、例えば１．０未満、例えば０．８以下である。
【００３０】
次に、発光装置１０の製造方法について説明する。まず、基板１００の第２面１００ｂに、第１電極１１０を形成する。次いで、絶縁膜１５０を形成し、さらに、有機層１２０及び第２電極１３０を形成する。これにより、発光部１４０が形成される。
【００３１】
また、封止板１７１を準備する。この際、封止板１７１の一方の面には中間層１７６が形成されている。次いで、封止板１７１にバリア膜１７２を形成する。封止板１７１のうち中間層１７６を有する面にバリア膜１７２を形成した場合、バリア膜１７２は中間層１７６の上に位置する。
【００３２】
次いで、絶縁層１７４を用いて、基板１００のうち発光部１４０が形成されている面に封止部材１７０を固定する。この際、封止部材１７０のうち中間層１７６を有している面を基板１００側に向けるのが好ましい。このようにして、発光装置１０が形成される。
【００３３】
図４は発光装置１０のヘイズ値を示す表である。実施形態に係る試料１及び試料２において、封止部材１７０の封止板１７１のヘイズ値は０．７である。また、試料１において、封止板１７１のうち中間層１７６を有している面は基板１００とは逆側を向いており、試料２において、封止板１７１のうち中間層１７６を有している面は基板１００に対向している。また、比較例に係る発光装置１０において、封止板１７１のヘイズ値は１．０である。
【００３４】
試料１において、発光装置１０のヘイズ値は２．０であった。そして、発光装置１０のうち基板１００とは逆側（裏面側）に漏れた光の量は、少なく、視認できたとしても気にならない程度であった。
【００３５】
試料２において、発光装置１０のヘイズ値は１．３であった。そして、発光装置１０のうち発光装置１０の裏面側に漏れた光の量は、さらに少なかった。なお、試料２における発光装置１０のヘイズ値が試料１における発光装置１０のヘイズ値よりも小さくなった理由は、以下の通りと考えられる。上記したように、中間層１７６の表面は凹凸を有しているため、中間層１７６の表面で光の反射が生じると、この反射の前後で光の進行方向（基板１００に対する角度）が変化する。この変化によって、今まである界面の臨界角未満だった光の一部がその界面における臨界角よりも多くなり、その結果、発光装置１０の裏面側に漏れる光の量は増加する。このため、発光装置１０の裏面側に漏れる光の量を減らすためには、中間層１７６の表面における光の反射を抑制する必要がある。これに対して試料２において、中間層１７６は絶縁層１７４に接している。絶縁層１７４の屈折率は１より大きいため、絶縁層１７４と中間層１７６の屈折率の差は、中間層１７６と空気の屈折率の差よりも小さい。このため、試料２において、中間層１７６の表面における光の反射は、試料１と比較して抑制される。
【００３６】
一方、比較例の発光装置１０のヘイズ値は２．４であった。発光装置１０のうち基板１００とは逆側に漏れた光の量は、人が認識できる量であった。図４から、発光装置１０のヘイズ値を２．０以下にすると、発光装置１０の裏面側に漏れる光の量を十分少なくすることができる。
【００３７】
（変形例１）
図５は、変形例１に係る発光装置１０の構成を示す断面図であり、実施形態における図２に対応している。本変形例に係る発光装置１０は、無機膜１９０を有している点を除いて、実施形態に係る発光装置１０と同様の構成である。
【００３８】
無機膜１９０は発光部１４０を覆っており、封止膜として機能する。詳細には、無機膜１９０は、基板１００のうち、少なくとも発光部１４０が形成されている面に形成されており、発光部１４０を覆っている。そして、絶縁層１７４は無機膜１９０に接している。言い換えると、無機膜１９０は発光部１４０と絶縁層１７４の間に位置している。
【００３９】
無機膜１９０は、例えば酸化アルミニウムや酸化チタンなどの無機材料によって形成されている。また、無機膜１９０の厚さは、好ましくは３００ｎｍ以下である。また無機膜１９０の厚さは、例えば５０ｎｍ以上である。無機膜１９０は、第２電極１３０を形成した後、封止部材１７０を基板１００に取り付ける前に形成される。
【００４０】
無機膜１９０は、例えばＡＬＤ（Atomic Layer Deposition）法を用いて形成されている。無機膜１９０は、複数の層を積層した多層構造を有していてもよい。この場合、無機膜１９０は、第１の材料（例えば酸化アルミニウム）からなる第１封止層と、第２の材料（例えば酸化チタン）からなる第２封止層とを繰り返し積層した構造を有していてもよい。最下層は第１封止層及び第２封止層のいずれであってもよい。また、最上層も第１封止層及び第２封止層のいずれであってもよい。また、無機膜１９０は第１の材料と第２の材料の混在する単層であってもよい。
【００４１】
ただし、無機膜１９０は、他の成膜法、例えばＣＶＤ法やスパッタリング法を用いて形成されていてもよい。この場合、無機膜１９０は、ＳｉＯ２又はＳｉＮなどによって形成されており、その膜厚は、例えば１０ｎｍ以上１０００ｎｍ以下である。
【００４２】
本変形例によっても、実施形態と同様に、発光装置１０のヘイズ値を２．０以下にすると、発光装置１０の裏面側に漏れる光の量を十分少なくすることができる。
【００４３】
（変形例２）
図６は、変形例２に係る発光装置１０の構成を示す断面図であり、実施形態における図２に対応している。本変形例に係る発光装置１０は、第１領域１０２、第２領域１０４、及び第３領域１０６のすべてに第１電極１１０が形成されている点を除いて、実施形態に係る発光装置１０と同様の構成である。言い換えると、複数の発光部１４０それぞれの第１電極１１０は、互いに繋がっている。
【００４４】
本変形例によっても、実施形態と同様に、発光装置１０の裏面側に光が漏れる可能性を低くできる。なお、変形例１に係る発光装置１０において、第１電極１１０は本変形例と同様の構成を有していてもよい。
【００４５】
（変形例３）
図７は、変形例３に係る発光装置１０の構成を示す断面図であり、実施形態における図２に対応している。本変形例に係る発光装置１０は、隣り合う発光部１４０の間で有機層１２０が分断している点を除いて、実施形態に係る発光装置１０と同様の構成である。有機層１２０は、例えば第３領域１０６の一部または全部に形成されていない。有機層１２０は、第２領域１０４のうち第３領域１０６側の領域にも形成されていなくてもよい。ただし、有機層１２０は、第２領域１０４、及び第３領域１０６のうち第２領域１０４側の領域に形成されていてもよい。
【００４６】
本変形例によっても、実施形態と同様に、発光装置１０の裏面側に光が漏れる可能性を低くできる。なお、変形例１又は変形例２に係る発光装置１０において、有機層１２０は本変形例と同様の構成を有していてもよい。
【００４７】
（変形例４）
図８は、変形例４に係る発光装置１０の構成を示す断面図であり、実施形態における図２に対応している。本変形例に係る発光装置１０は、第１電極１１０が導電層１８０を有している点を除いて、実施形態に係る発光装置１０と同様の構成である。導電層１８０は第１電極１１０の補助電極であり、例えばＭｏ合金層、Ａｌ合金層、及びＭｏ合金層をこの順に積層した構成を有している。導電層１８０は、Ａｇ合金を用いて形成されていてもよい。導電層１８０は、第１電極１１０のうち絶縁膜１５０に覆われた部分の上に形成されている。ただし、導電層１８０は第１電極１１０と基板１００の間（又は第１電極１１０と光機能層１６０の間）に形成されていてもよい。
【００４８】
本変形例によっても、実施形態と同様に、発光装置１０の裏面側に光が漏れる可能性を低くできる。なお、変形例１〜３のいずれかに係る発光装置１０において、導電層１８０が設けられていてもよい。
【００４９】
（変形例５）
図９は、変形例５に係る発光装置１０の構成を示す断面図であり、実施形態における図２に対応している。本実施形態に係る発光装置１０は、発光部１４０の封止構造として、無機膜１９０及び樹脂層１７３を有している点を除いて、変形例１に係る発光装置１０と同様の構成である。樹脂層１７３は、例えば光硬化性のアクリル樹脂であり、ディスペンサーやスリットコーティング、スピンコーティングなどの塗布法を用いて形成されている。
【００５０】
本変形例によっても、実施形態と同様に、発光装置１０の裏面側に光が漏れる可能性を低くできる。
【００５１】
（実施例１）
図１０は、実施例１に係る発光システムの構成を示す断面図である。この発光システムは、発光装置１０及び仕切部材２０を有している。仕切部材２０は透光性を有しており、空間を外部から仕切っている。この空間は、例えば人が滞在する空間、又は商品等のものが配置されている空間である。発光装置１０は、上記した実施形態及び変形例のいずれかと同様の構成を有している。本図に示す例において、基板１００のうち発光部１４０が設けられている側の面（第２面１００ｂ）は、人が滞在する空間を向いている。
【００５２】
仕切部材２０は、例えば人が移動するための移動体３０の窓、又はショーケースの窓であり、ガラス又は透光性の樹脂を用いて形成されている。移動体３０は、例えば自動車、列車、又は飛行機である。移動体３０が自動車の場合、仕切部材２０はフロントガラス、リアガラス、又は座席の横に取り付けられた窓ガラス（例えばドアガラス）である。仕切部材２０がリアガラスの場合、複数の発光部１４０は例えばブレーキランプとして機能する。また、仕切部材２０がフロントガラス又はリアガラスの場合、複数の発光部１４０はターンランプであってもよい。また、仕切部材２０は、会議室などの部屋の内部と外部を仕切る窓であってもよい。発光部１４０の点灯／非点灯により、会議室を利用しているか否かを識別できる発光システムでも良い。仕切部材２０は、水平面に対して角度θ（例えば４５°＜θ＜９０°）で傾いていてもよいし、水平面に対して垂直（θ＝９０°）であってもよい。
【００５３】
そして、発光装置１０の第１面１００ａ、すなわち光取出側の面は、接着層２００を介して仕切部材２０の内面（第１面２２）に固定されている。このため、発光装置１０の発光部１４０から放射された光は、仕切部材２０を介して上記した空間（例えば移動体３０）の外部に放射される。一方、発光装置１０は光透過性を有している。このため、人は、仕切部材２０を介して空間の外部や内部を視認することができる。例えば移動体３０の内側に位置する人は、仕切部材２０を介して移動体３０の外部を視認することができる。なお、基板１００の第１面１００ａの全面が接着層２００を介して仕切部材２０の第１面２２に固定されていてもよいし、第１面１００ａの一部（例えば互いに対向する２辺）が仕切部材２０の第１面２２に固定されていてもよい。
【００５４】
接着層２００は発光装置１０を仕切部材２０に固定している。このような機能を果たす材料であれば、接着層２００の材料はとくに限定はされない。また、例えば仕切部材２０と基板１００がともにガラスで形成された場合など、仕切部材２０の屈折率と基板１００の屈折率がほぼ同じ場合は、接着層２００には、両者と同じか近い屈折率を有する材料を用いる。また、仕切部材２０と基板１００とで屈折率とが異なる（例えば、仕切部材２０がプラスチックで形成され、基板１００がガラスで形成される）場合は、接着層２００の屈折率は仕切部材２０の屈折率と基板１００の屈折率の間の数値が好ましい。このようにすると、有機層１２０が発光した光を、仕切部材２０を介して外部へ効率よく取り出せる。また、発光装置１０と仕切部材２０とは隙間なく接着されるのが好ましい。隙間があると発光装置１０からの発光が仕切部材２０で反射され、その反射光が発光装置１０の第２領域１０４、第３領域１０６を介して内部に伝わるからである。
【００５５】
発光装置１０は、実施形態及び各変形例のいずれかに示した構成を有している。従って、発光装置１０の裏面側（図１０においては右側）に光が漏れる可能性を低くできる。
【００５６】
（実施例２）
図１１は、実施例２に係る発光システムの構成を示す断面図である。本実施例に係る発光システムは、発光装置１０が仕切部材２０のうち移動体３０の外側の面（第２面２４）に取り付けられている点を除いて、実施例に係る発光システムと同様の構成である。
【００５７】
本実施例に係る発光装置１０は、上記した実施形態及び各変形例のいずれかと同じ構成を有している。ただし、発光装置１０は、仕切部材２０とは逆側の面が光取出面となっている。このようにするためには、発光装置１０の第２面１００ｂを仕切部材２０に対向させればよい。
【００５８】
本実施例によっても、実施例１と同様に、発光装置１０の裏面側に光が漏れる可能性を低くできる。
【００５９】
また、発光装置１０からの光は仕切部材２０を介さずに直接移動体３０の外部に放射される。このため、実施形態と比較して、移動体３０の外部にいる人は発光装置１０からの光を認識しやすい。また、移動体３０の外部すなわち仕切部材の２０の第２面２４側に発光装置１０を取り付けているので、発光装置１０の発光が仕切部材２０で反射して移動体３０の内部へ入ることを抑制できる。
【００６０】
（実施例３）
図１２は、実施例３に係る発光システムの構成を示す断面図である。本実施例に係る発光システムは、固定部材２１０を用いて発光装置１０を仕切部材２０に固定している点を除いて、実施例１に係る発光システムと同様の構成である。
【００６１】
固定部材２１０は枠状の部材であり、下面が接着層２００を用いて仕切部材２０に固定されている。固定部材２１０の上部は固定部材２１０の内側に向けて折れ曲がっており、この折れ曲がっている部分で発光装置１０の縁を押さえている。ただし、固定部材２１０の形状は本図に示す例に限定されない。
【００６２】
本実施例によっても、実施例１と同様に、発光装置１０の裏面側に光が漏れる可能性を低くできる。
【００６３】
また、図１３に示すように、移動体３０の外側に向けて凸になる方向に仕切部材２０が湾曲している場合がある。このような場合において、平板上の発光装置１０を仕切部材２０の内面（第１面２２）に直接固定することは難しい。しかし、固定部材２１０を用いると、このような場合でも発光装置１０を仕切部材２０の第１面２２に固定することができる。
【００６４】
このような方法で湾曲する仕切部材２０と平板上の発光装置１０とを固定した場合、仕切部材２０と発光装置１０との間の隙間に充填剤を充填してもよい。前述の通り、隙間があると発光装置１０からの発光が仕切部材２０で反射され、その反射光が発光装置１０の透光領域である第２領域１０４及び第３領域１０６を介して内部に伝わるからである。仕切部材２０の屈折率と基板１００の屈折率とが互いにほぼ同じ場合（例えば両者ともにガラスで形成されている場合）は、充填部材の屈折率は、これらの屈折率と同じか近い値であることが好ましい。また、仕切部材２０と基板１００とで屈折率とが異なる（例えば、仕切部材２０がプラスチックで形成され、基板１００がガラスで形成される）場合は、充填剤の屈折率は仕切部材２０の屈折率と基板１００の屈折率の間の数値が好ましい。
【００６５】
（実施例４）
図１４は、実施例４に係る発光システムの構成を示す断面図である。本実施例に係る発光システムは、発光部１４０、絶縁層１７４、及び封止部材１７０が仕切部材２０の第１面２２又は第２面２４に形成されている点を除いて、実施例１に係る発光システムと同様の構成である。言い換えると、本実施例において、仕切部材２０は実施例１における基板１００を兼ねている。
【００６６】
なお、本実施例において、仕切部材２０のうち発光部１４０が形成される面に凹部を形成し、この凹部内に発光部１４０を形成してもよい。例えば、複数の発光部１４０が形成される領域に一つの凹部を形成し、この凹部の底面に複数の発光部１４０を形成してもよいし、複数の発光部１４０のそれぞれに個別に凹部を形成してもよい。この場合、発光部１４０の封止は透過性の高い構成、例えば膜封止などによって、複数の凹部を一度に封止する構成であってもよい。凹部が発光部１４０に対して個別、または複数のいずれの場合においても、仕切部材２０から発光部１４０が突出することを抑制できる。なお、仕切部材２０の凹部に発光部１４０を形成する場合において、発光部１４０の上部は仕切部材２０の第１面２２（又は第２面２４）から突出していてもよいし、発光部１４０の全体が第１面２２（又は第２面２４）の下方に位置していてもよい。
【００６７】
本実施例によっても、実施例１と同様に、発光装置１０の裏面側に光が漏れる可能性を低くできる。
【００６８】
（実施例５）
図１５は、実施例５に係る発光システムの構成を示す断面図である。本実施例に係る発光システムは、仕切部材２０に複数の発光装置１０が取り付けられている点を除いて、上記した実施形態及び各変形例並びに実施例１〜４のいずれかと同様の構成である。複数の発光装置１０は、互いに同一の制御信号に従って発光及び消灯が制御されていてもよいし、互いに異なる制御信号に従って発光及び消灯が制御されていてもよい。
【００６９】
本実施例によっても、実施例１と同様に、発光装置１０の裏面側に光が漏れる可能性を低くできる。
【００７０】
（実施例６）
図１６は、実施例６に係る発光システムの構成を示す断面図である。本実施例に係る発光システムは、仕切部材２０の構成及び発光装置１０の位置を除いて、実施例１に係る発光システムと同様の構成である。
【００７１】
本実施例において、仕切部材２０は、複数枚の透光部材２１（例えばガラス板や樹脂板）を重ねた構成を有している。そして、発光装置１０は、隣り合う透光部材２１の間に挟まれることにより、仕切部材２０に取り付けられている。
【００７２】
本実施例によっても、実施例１と同様に、発光装置１０の裏面側に光が漏れる可能性を低くできる。
【００７３】
以上、図面を参照して実施形態及び実施例について述べたが、これらは本発明の例示であり、上記以外の様々な構成を採用することもできる。
【図１】
2020167173.tif 000003
【図２】
2020167173.tif 000004
【図３】
2020167173.tif 000005
【図４】
2020167173.tif 000006
【図５】
2020167173.tif 000007
【図６】
2020167173.tif 000008
【図７】
2020167173.tif 000009
【図８】
2020167173.tif 000010
【図９】
2020167173.tif 000011
【図１０】
2020167173.tif 000012
【図１１】
2020167173.tif 000013
【図１２】
2020167173.tif 000014
【図１３】
2020167173.tif 000015
【図１４】
2020167173.tif 000016
【図１５】
2020167173.tif 000017
【図１６】
2020167173.tif 000018